(57)【特許請求の範囲】
【請求項１】
ケーシング内のメインシャーシにトレイが前後進可能に配置され、該トレイの上面中央
にディスク載置用凹部が形成され、そのトレイの下方のドライブシャーシがメインシャー
シに上下動可能に取り付けられ、該ドライブシャーシに、ターンテーブル付きスピンドル
モータとフィードモータによりディスク半径方向に移動可能な光ピックアップとが配置さ
れ、前記トレイ及びドライブシャーシを駆動するためのローディングモータがメインシャ
ーシに設けられており、トレイをケーシング内に収納している状態からローディングモー
タの正転駆動によりドライブシャーシを下動させた後にトレイを前進させ、その最前進状
態のトレイの凹部内からディスクを取り出したり該凹部内に新たなディスクを載置し、前
記ローディングモータの逆転駆動によりトレイを後進させた後にドライブシャーシを上動
させ、トレイ上のディスクをターンテーブルで持ち上げ、スピンドルモータによりターン
テーブルを介してディスクを高速回転させるようにしたディスク装置において、前記トレ
イの上面の前後両端部に凹部を取り囲むようにして複数の通気孔が形成され、該各通気孔
より外側でその各通気孔の側縁に沿って誘導板が立設され、該各誘導板がトレイの前板部
よりも所定間隔だけ高く設定されてトレイに起倒可能に取り付けられると共に、その各誘
導板がばねにより常時起立状態に保持されており、ディスクの高速回転に伴う空気流を各
誘導板に沿って各通気孔内に誘導し、各誘導板がケーシングのトレイ挿通口に当たってば
ねに抗して倒れることにより該トレイ挿通口を通過するようにしたことを特徴とするディ
スク装置。
【発明の詳細な説明】
【技術分野】
【０００１】
本発明は、例えばＤＶＤなどのディスクの再生や記録または消去を行うためのディスク
装置に関する。
【背景技術】
【０００２】
ディスク装置の一例として図７〜図９に示すものがある。これは、ケーシング１内のメ
インシャーシ２にトレイ３が前後進ａ，ｂ可能に配置され、該トレイ３の上面３ａの中央
にディスクＤ載置用凹部４が形成され、そのトレイ３の下方のドライブシャーシ５の後端
部をメインシャーシ２の後部２ａにゴムなどの弾性体６ａを介して連結すると共に、該ド
ライブシャーシ５の前端部を昇降部材７に弾性体６ｂを介して連結することにより、その
ドライブシャーシ５が後側弾性体６ａを中心に上下動ｅ，ｆ可能に形成され、昇降部材７
に突設したカム軸８がメインシャーシ２の前部２ｂに前後進ａ，ｂ方向とは直交する左右
方向ｃ，ｄに移動可能に配置したカム板９のカム溝９ａに係合され、ドライブシャーシ５
に、ターンテーブル１０付きスピンドルモータ１１とフィードモータ１３によりディスク
半径方向に移動可能な光ピックアップ１２とが配置され、トレイ３の下面に形成したラッ
ク１４に対向してメインシャーシ２の前部２ｂにピニオン１５が配置され、連動機構（図
示せず）を介してピニオン１５及びカム板９を駆動するためのローディングモータ１６が
メインシャーシ２の前部２ｂに設けられている。なお、１７はターンテーブル１０に対向
してメインシャーシ２上の天板部２ｃに一定範囲内昇降可能に配置した磁石付きディスク
ホルダ、１８はプリント基板である。
【０００３】
エジェクト動作を説明すると、図７に実線で示す状態からエジェクト釦を押すことによ
り、そのエジェクト信号に基づいてフィードモータ１３により光ピックアップ１２を待機
位置まで移動させた後、ローディングモータ１６の正転駆動によりカム板９を矢印ｃ方向
に移動させてカム溝９ａ、カム軸８及び昇降部材７を介してドライブシャーシ５を後側弾
性体６ａを中心に下動ｆさせ、これによって、ディスクＤをトレイ３の凹部４上に載置す
ると共に、ターンテーブル１０をトレイ３よりも下げ、続いて、トレイ３を若干前進ａさ
せてラック１４をピニオン１５に噛合させ、該ピニオン１５を正転駆動してトレイ３をケ
ーシング１のトレイ挿通口１ａを通って前進ａさせ（図７仮想線参照）、その最前進ａ状
態のトレイ３の凹部４内からディスクＤを取り出したり該凹部４内に新たなディスクＤを
載置し、その後、エジェクト釦を押すことにより、そのエジェクト信号に基づいてローデ
ィングモータ１６の逆転駆動によりトレイ３を後進ｂさせた後にドライブシャーシ５を上
動ｅさせ、凹部４上のディスクＤをターンテーブル１０で持ち上げる（図７実線参照）。
【０００４】
続いて、スピンドルモータ１１によりターンテーブル１０を介してディスクＤを高速回
転させ、フィードモータ１３により光ピックアップ１２をディスク半径方向に沿って移動
させることにより、該光ピックアップ１２でディスクＤに記録されている情報の再生や記
録または消去を行う。
【０００５】
上記構成によれば、光ピックアップ１２の作動中に、該光ピックアップ１２や各モータ
１３，１６及びプリント基板１８上のＩＣ部品などの放熱部品からの放熱によりケーシン
グ１内が高熱状態となり、特に近年では、ディスク装置の小型化及び薄型化によりケーシ
ング１内が一層高熱状態となって、電気部品が熱破壊されるおそれがある。
【０００６】
従来、上記難点を解消する技術として特許文献１に記載したものがある。これは、図９
に仮想線で示すように、トレイ３の凹部４の内側面に多数のスリット孔２０を形成し、デ
ィスクＤの高速回転により発生した空気流Ａを各スリット孔２０に誘導し、その空気流Ａ
により放熱部品を冷却する。
【特許文献１】特開平８−３３９６７８号公報
【発明の開示】
【発明が解決しようとする課題】
【０００７】
上記従来の構成では、光ピックアップ１２の作動中、ディスクＤがターンテーブル１０
により持ち上げられており、該ディスクＤの高速回転により発生した空気流Ａが主として
トレイ３の上面３ａに沿って流れるため、各スリット孔２０内に誘導される空気流Ａが少
なく、放熱部品の冷却効果が小さい。
【０００８】
そこで、ケーシング１に冷却ファンなどの冷却機構を設けることも考えられているが、
これでは、構造が複雑になって、製作費が高くつく。
【０００９】
本発明は、上記従来の欠点に鑑み、簡単な構造で放熱部品を効果的に冷却することがで
きるディスク装置を提案することを目的としている。
【課題を解決するための手段】
【００１０】
上記目的を達成するため、請求項１に記載の発明は、ケーシング内のメインシャーシに
トレイが前後進可能に配置され、該トレイの上面中央にディスク載置用凹部が形成され、
そのトレイの下方のドライブシャーシがメインシャーシに上下動可能に取り付けられ、該
ドライブシャーシに、ターンテーブル付きスピンドルモータとフィードモータによりディ
スク半径方向に移動可能な光ピックアップとが配置され、前記トレイ及びドライブシャー
シを駆動するためのローディングモータがメインシャーシに設けられており、トレイをケ
ーシング内に収納している状態からローディングモータの正転駆動によりドライブシャー
シを下動させた後にトレイを前進させ、その最前進状態のトレイの凹部内からディスクを
取り出したり該凹部内に新たなディスクを載置し、前記ローディングモータの逆転駆動に
よりトレイを後進させた後にドライブシャーシを上動させ、トレイ上のディスクをターン
テーブルで持ち上げ、スピンドルモータによりターンテーブルを介してディスクを高速回
転させるようにしたディスク装置において、前記トレイの上面の前後両端部に凹部を取り
囲むようにして複数の通気孔が形成され、該各通気孔より外側でその各通気孔の側縁に沿
って誘導板が立設され、該各誘導板がトレイの前板部よりも所定間隔だけ高く設定されて
トレイに起倒可能に取り付けられると共に、その各誘導板がばねにより常時起立状態に保
持されており、ディスクの高速回転に伴う空気流を各誘導板に沿って各通気孔内に誘導し
、各誘導板がケーシングのトレイ挿通口に当たってばねに抗して倒れることにより該トレ
イ挿通口を通過するようにしたことを特徴としている。
【発明の効果】
【００１１】
請求項１に記載の発明は実施の一形態（図６参照）に対応するものであって、これによ
れば、トレイの上面の前後両端部に凹部を取り囲むようにして複数の通気孔が形成され、
該各通気孔より外側でその各通気孔の側縁に沿って誘導板が立設されており、その各誘導
板がターンテーブルにより持ち上げたディスクに対向しているので、そのディスクの高速
回転により発生してトレイの上面に沿って流れる空気流が各誘導板に当たって各通気孔内
に誘導され、ここで特に、各誘導板が高いので、トレイの上面から比較的高い位置を通過
する空気流もその各誘導板により確実につかんで各通気孔内に誘導され、その誘導した空
気流によりトレイ下方の光ピックアップなどの放熱部品を効率良く冷却することができ、
ディスク装置の小型化及び薄型化に対応することができる。
【００１２】
また、各誘導板がケーシングのトレイ挿通口に当たってばねに抗して倒れることにより
該トレイ挿通口を通過するので、その各誘導板がトレイの前後進を阻害することもない。
【発明を実施するための最良の形態】
【００１３】
図１〜図４は本発明の参考例であるディスク装置を示すものであって、トレイ３の上面
３ａの前後両端部に凹部４を取り囲むようにして複数（この実施の形態では４つ）の長方
形状通気孔２２が左右方向ｃ，ｄに沿って形成され、該各通気孔２２より外側でその各通
気孔２２の側縁に沿って誘導板２３が立設され、該各誘導板２３の高さｈ１がトレイ３の
前板部３ｂの高さｈ２とほぼ同一に設定され、ケーシング１内の上部に温度検出器２４が
配置され、該温度検出器２４による検出温度に基づいて前記各モータ１３，１６及び光ピ
ックアップ１２を制御するマイクロコンピュータからなるコントローラ２５が設けられて
いる。上記以外の構成は図７〜図９に示す構成とほぼ同じであるから、同一部分に同一符
号を付してその説明を省略する。
【００１４】
冷却作用を説明すると、図１に実線で示すように、ターンテーブル１０によりディスク
Ｄを持ち上げ、スピンドルモータ１１によりターンテーブル１０を介してディスクＤを高
速回転させ、そのディスクＤの高速回転に伴う空気流Ａを各誘導板２３に沿って各通気孔
２２内に誘導し、光ピックアップ１２や各モータ１３，１６及びプリント基板１８上のＩ
Ｃ部品などの放熱部品を冷却する。
【００１５】
上記構成によれば、各誘導板２３がターンテーブル１０により持ち上げたディスクＤに
対向しているので、そのディスクＤの高速回転により発生してトレイ３の上面３ａに沿っ
て流れる空気流Ａが各誘導板２３に当たって各通気孔２２内に誘導され、その誘導した空
気流Ａによりトレイ３下方の放熱部品を効率良く冷却することができ、ディスク装置の小
型化及び薄型化に対応することができる。また、既存のトレイ３に通気孔２２と誘導板２
３とを追加しただけであるから、構造が簡単で製作費が安くつく。
【００１６】
前記コントローラ２５の制御作用を図５に基づいて説明すると、ステップＳ１において
、図１に実線で示すように、スピンドルモータ１１によりターンテーブル１０を介してデ
ィスクＤを回転させた状態で、ステップＳ２に移行し、フィードモータ１３により光ピッ
クアップ１２をディスク半径方向に沿って移動させると共に、該光ピックアップ１２から
レーザ光をディスクＤに投射することにより該ディスクＤに記録されている情報の再生や
録画または消去を行い。この光ピックアップ１２の作動中に、ステップＳ３に移行し、温
度検出器２４による検出温度が設定値（例えば４０°Ｃ）よりも高いか否かを判断し、低
い場合にはステップＳ１に戻り、高い場合にはステップＳ４に移行し、放熱部品である光
ピックアップ１２の作動を停止させる。次に、ステップＳ５に移行し、一定時間（例えば
５〜１０分間）経過後、再び温度検出器２４による検出温度が設定値（例えば４０°Ｃ）
よりも高いか否かを判断し、低い場合にはステップＳ２に戻り、高い場合にはステップＳ
６に移行し、放熱部品であるスピンドルモータ１１によるディスクＤの回転を停止させ、
ステップＳ７に移行して、ローディングモータ１６によりドライブシャーシ５を下動ｆさ
せた後、ステップＳ８に移行して、ローディングモータ１６によりトレイ３を前進ａさせ
ることによりトレイ挿通口１ａを開放する（図１仮想線参照）。続いて、ステップＳ９に
移行し、一定時間（例えば５〜１０分間）経過後、再度、温度検出器２４による検出温度
が設定値（例えば４０°Ｃ）よりも高いか否かを判断し、高い場合にはステップＳ９に戻
り、低い場合にはステップＳ１０に移行し、ローディングモータ１６によりトレイ３を後
進ｂさせた後、ステップＳ１１に移行して、ローディングモータ１６によりドライブシャ
ーシ５を上動ｅさせ、元の状態に戻す。
【００１７】
上記構成によれば、光ピックアップ１２の作動中にケーシング１内が所定の高温状態に
なると、温度検出器２４による検出温度に基づいてコントローラ２５の制御により、第１
段として光ピックアップ１２の作動を停止させ、第２段としてスピンドルモータ１１によ
るディスクＤの回転を停止させ、第３段としてローディングモータ１６によりトレイ３を
前進ａさせてケーシング１のトレイ挿通口１ａを開放するので、該ケーシング１内が高温
状態で放置されることがなくなり、そのケーシング１内の電気部品が熱破壊されるのを防
ぐことができる。また、トレイ３を前進ａさせた後、一定時間経過後に検出温度が設定値
よりも低くなったときにローディングモータ１６によりトレイ３を後進ｂさせて自動的に
元の状態に戻すことができる。
【００１８】
図６は本発明の実施の一形態であるディスク装置の要部を示すものであって、前記各誘
導板２３の高さｈ１がトレイ３の前板部３ｂの高さｈ２よりも所定間隔α（例えば５ｍｍ
〜１ｃｍ）だけ高く設定され、該各誘導板２３の両端下部に突設した左右一対の支軸２３
ａをトレイ３の上面３ａに一体突設した軸受２６の枢支孔２６ａに回転可能に挿通するこ
とにより、その各誘導板２３がトレイ３に起倒可能に取り付けられている。また、各支軸
２３ａにばね２７を巻回し、該各ばね２７の両端部をトレイ３の上面３ａと各誘導板２３
とに係合させることにより、その両ばね２７の付勢力Ｆ１，Ｆ２を互いに相殺させて、各
誘導板２３が常時起立状態に保持されている。上記以外の構成は参考例（図１〜図５参照
）とほぼ同じであるから、同一部分に同一符号を付してその説明を省略する。
【００１９】
上記構成によれば、各誘導板２３が高いので、トレイ３の上面３ａから比較的高い位置
を通過する空気流Ａもその各誘導板２３により確実につかんで各通気孔２２内に誘導し、
冷却効果を一層高めることができる。また、各誘導板２３がケーシング１のトレイ挿通口
１ａに当たってばね２７に抗して倒れることにより該トレイ挿通口１ａを通過するので〔
図６（ｂ）仮想線参照〕、その各誘導板２３がトレイ３の前後進ａ，ｂを阻害することも
ない。
【図面の簡単な説明】
【００２０】
【図１】本発明の参考例であるディスク装置の縦断面図である。
【図２】同平面図である。
【図３】同トレイの斜視図である。
【図４】（ａ）は同要部の斜視図、（ｂ）は同要部の縦断面図、（ｃ）は同要部の平面図である。
【図５】同コントローラの制御作用を示す流れ図である。
【図６】（ａ）は本発明の実施の一形態であるディスク装置における要部の斜視図、（ｂ）は同要部の縦断面図、（ｃ）は同要部の平面図である。
【図７】従来例を示す縦断面図である。
【図８】同平面図である。
【図９】同トレイの斜視図である。
【符号の説明】
【００２１】
１        ケーシング
１ａ      ケーシングのトレイ挿通口
２        メインシャーシ
３        トレイ
３ａ      トレイの上面
３ｂ      トレイの前板部
４        トレイのディスク載置用凹部
５        ドライブシャーシ
１０      ターンテーブル
１１      スピンドルモータ
１２      光ピックアップ
１３      フィードモータ
２０      スリット孔
２２      通気孔
２３      誘導板
２４      温度検出器
２５      コントローラ
２７      ばね
Ａ        空気流
Ｄ        ディスク
ａ，ｂ    前後進
ｃ，ｄ    左右方向
ｅ，ｆ    上下動
【図１】
0004186867.tif 000002
【図２】
0004186867.tif 000003
【図３】
0004186867.tif 000004
【図４】
0004186867.tif 000005
【図５】
0004186867.tif 000006
【図６】
0004186867.tif 000007
【図７】
0004186867.tif 000008
【図８】
0004186867.tif 000009
【図９】
0004186867.tif 000010